(57)【要約】【課題】下層側の紙片に鮮明に複写できる帳票、帳票の加工システムを提供する。【解決手段】帳票１０は、複数の紙片が重ね合わせて形成された複写式の帳票であって、利用者が直接記入する暗証番号記入欄１３ｅを有する上紙片１３と、上紙片１３よりも下層側の紙片であって、暗証番号記入欄１３ｅの記入内容が複写される暗証番号複写欄１１ｅを有する下紙片１１と、上紙片１３及び下紙片１１との間の中紙片１２に設けられ、暗証番号記入欄１３ｅに対応した大きさの孔である孔部とを備え、複数の紙片は、ノーカーボン紙のうち中用紙であり、同一の材質の紙片のみを重ね合わせて形成されている。【選択図】図１
2015047694.tif 000002
【特許請求の範囲】
【請求項１】
複数の紙片が重ね合わせて形成された複写式の帳票であって、
利用者が直接記入する記入欄を有する記入紙片と、
前記記入紙片よりも下層側の紙片であって、前記記入欄の記入内容が複写される記入欄複写部を有する記入欄複写片と、
前記記入紙片及び記入欄複写片との間の紙片に設けられ、前記記入欄に対応した大きさの孔である上孔部とを備え、
前記複数の紙片は、ノーカーボン紙のうち中用紙、セルフ紙の１つであり、
同一の材質の紙片のみを重ね合わせて形成されていること、
を特徴とする帳票。
【請求項２】
複数の紙片が重ね合わせて形成された複写式の帳票であって、
利用者が直接記入する記入欄を有する記入紙片と、
前記記入紙片よりも下層側の紙片であって、前記記入欄の記入内容が複写される記入欄複写部を有する記入欄複写片と、
前記記入紙片及び記入欄複写片との間の紙片に設けられ、前記記入欄に対応した大きさの孔である上孔部とを備え、
前記複数の紙片は、顕色剤層を有した、ノーカーボン紙のうち下用紙であり、
同一の材質の紙片のみを重ね合わせて形成され、
前記上孔部を介して前記記入欄複写部に接する紙片は、前記記入欄複写部に接する領域に、発色剤層を備えること、
を特徴とする帳票。
【請求項３】
複数の紙片が重ね合わせて形成された複写式の帳票であって、
利用者が直接記入する記入欄を有する記入紙片と、
前記記入紙片よりも下層側の紙片であって、前記記入欄の記入内容が複写される記入欄複写部を有する記入欄複写片と、
前記記入紙片及び記入欄複写片との間の紙片に設けられ、前記記入欄に対応した大きさの孔である上孔部とを備え、
前記複数の紙片は、発色剤層を有した、ノーカーボン紙のうち上用紙であり、
同一の材質の紙片のみを重ね合わせて形成され、
前記上孔部を介して前記記入欄複写部に接する紙片は、前記記入欄複写部に接する領域に、顕色剤層を備えること、
を特徴とする帳票。
【請求項４】
請求項１から請求項３のいずれかに記載の帳票において、
前記記入欄複写片の下層側の紙片の少なくとも１つは、前記記入欄に対応した大きさの孔である下孔部を備えること、
を特徴とする帳票。
【請求項５】
請求項４に記載の帳票において、
前記下孔部よりも下層側の紙片であって、前記記入欄の記入内容が複写される他の記入欄複写部を有する他の記入欄複写片を備えること、
を特徴とする帳票。
【請求項６】
請求項５に記載の帳票において、
最下層に配置される紙片は、前記記入欄に対応した大きさの孔である最下層孔部を備えること、
を特徴とする帳票。
【請求項７】
請求項１に記載の帳票を製造し、送り方向に送られる連続用紙に対して単位紙片毎に加工する加工システムであって、
前記連続用紙は、ノーカーボン紙のうち中用紙、セルフ紙の１つが連続したものであり、
前記単位紙片毎に、レーザ加工情報を記憶するレーザ加工情報記憶部と、
前記レーザ加工情報記憶部の前記レーザ加工情報に基づいて、レーザ加工部を制御して、前記上孔部をレーザ加工するレーザ加工制御部とを備えること、
を特徴とする帳票の加工システム。
【請求項８】
請求項２に記載の帳票を製造し、送り方向に送られる連続用紙に対して単位紙片毎に加工する加工システムであって、
前記連続用紙は、ノーカーボン紙のうち下用紙が連続したものであり、
前記単位紙片毎に、レーザ加工情報を記憶するレーザ加工情報記憶部と、
前記レーザ加工情報記憶部の前記レーザ加工情報に基づいて、レーザ加工部を制御して、前記上孔部をレーザ加工するレーザ加工制御部と、
前記上孔部を介して前記記入欄複写部に接する紙片に、前記発色剤層を印刷する発色剤層印刷部とを備えること、
を特徴とする帳票の加工システム。
【請求項９】
請求項３に記載の帳票を製造し、送り方向に送られる連続用紙に対して単位紙片毎に加工する加工システムであって、
前記連続用紙は、ノーカーボン紙のうち上用紙が連続したものであり、
前記単位紙片毎に、レーザ加工情報を記憶するレーザ加工情報記憶部と、
前記レーザ加工情報記憶部の前記レーザ加工情報に基づいて、レーザ加工部を制御して、前記上孔部をレーザ加工するレーザ加工制御部と、
前記上孔部を介して前記記入欄複写部に接する紙片に、前記顕色剤層を印刷する顕色剤層印刷部とを備えること、
を特徴とする帳票の加工システム。
【請求項１０】
請求項７から請求項９のいずれかに記載の帳票の加工システムにおいて、
前記記入欄複写片の下層側の紙片の少なくとも１つは、前記記入欄に対応した大きさの孔である下孔部を備え、
前記レーザ加工制御部は、前記レーザ加工情報記憶部の前記レーザ加工情報に基づいて、前記レーザ加工部を制御して、前記下孔部をレーザ加工すること、
を特徴とする帳票の加工システム。
【請求項１１】
請求項７から請求項１０のいずれかに記載の帳票の加工システムにおいて、
前記連続用紙に対して、接着層を形成する接着加工部と、
前記単位紙片毎に、接着情報を記憶する接着情報記憶部と、
前記接着情報記憶部の前記接着情報に基づいて、前記接着加工部を制御して、前記単位紙片毎に接着層を形成する接着加工制御部とを備えること、
を特徴とする帳票の加工システム。
【請求項１２】
請求項７から請求項１１のいずれかに記載の帳票の加工システムにおいて、
前記連続用紙を各紙片に切断する切断加工部と、
前記切断加工部が切断した前記各紙片を順次積層する積層部とを備えること、
を特徴とする帳票の加工システム。
【請求項１３】
請求項７から請求項１２のいずれかに記載の帳票の加工システムにおいて、
前記連続用紙に対して、情報を印刷する印刷部と、
前記単位紙片毎に、印刷情報を記憶する印刷情報記憶部と、
前記印刷情報記憶部の前記印刷情報に基づいて、前記印刷部を制御して、前記単位紙片毎に印刷する印刷制御部とを備えること、
を特徴とする帳票の加工システム。
【請求項１４】
請求項１３に記載の帳票の加工システムにおいて、
前記印刷部は、前記各加工部よりも送り方向上流側に配置されており、
前記印刷情報記憶部は、前記各加工部の加工位置に関するマークの印刷情報を記憶し、
前記印刷制御部は、前記印刷情報記憶部の印刷情報に基づいて、前記マークを印刷すること、
を特徴とする帳票の加工システム。
【発明の詳細な説明】
【技術分野】
【０００１】
本発明は、ノーカーボン式の複写紙片を備える帳票の加工システム、帳票に関するものである。
【背景技術】
【０００２】
従来、ノーカーボンインクを利用した複写伝票があった（例えば特許文献１）。
しかし、従来の複写伝票は、複数枚介して複写しようとすると、筆圧が下層側の紙片に伝わりにくく、鮮明に複写できない場合があった。
【先行技術文献】
【特許文献】
【０００３】
【特許文献１】特開平１１−１５７２５７号公報
【発明の概要】
【発明が解決しようとする課題】
【０００４】
本発明の課題は、下層側の紙片に鮮明に複写できる帳票、帳票の加工システムを提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、複数の紙片が重ね合わせて形成された複写式の帳票であって、利用者が直接記入する記入欄（１３ｅ，２３ｅ，２２３ｅ，５２３ｅ）と、前記記入紙片よりも下層側の紙片であって、前記記入欄の記入内容が複写される記入欄複写部（１１ｅ，２２ｅ−３，２２２ｅ−３，５２２ｅ−３）を有する記入欄複写片（１１，２２−３，２２２−３，５２２−３）と、前記記入紙片及び記入欄複写片との間の紙片に設けられ、前記記入欄に対応した大きさの孔である上孔部（１２ｆ，２２ｆ−４，２２２ｆ−４，５２２ｆ−４）とを備え、前記複数の紙片は、ノーカーボン紙のうち中用紙、セルフ紙の１つであり、同一の材質の紙片のみを重ね合わせて形成されていること、を特徴とする帳票である。
・第２の発明は、複数の紙片が重ね合わせて形成された複写式の帳票（３２０）であって、利用者が直接記入する記入欄（３２３ｅ）を有する記入紙片（３２３）と、前記記入紙片よりも下層側の紙片であって、前記記入欄の記入内容が複写される記入欄複写部（３２２ｅ−３）を有する記入欄複写片（３２２−３）と、前記記入紙片及び記入欄複写片との間の紙片に設けられ、前記記入欄に対応した大きさの孔である上孔部（３２２ｆ−４）とを備え、前記複数の紙片は、顕色剤層を有した、ノーカーボン紙のうち下用紙であり、同一の材質の紙片のみを重ね合わせて形成され、前記上孔部を介して前記記入欄複写部に接する紙片は、前記記入欄複写部に接する領域に、発色剤層（３２３ｂ）を備えること、を特徴とする帳票である。
・第３の発明は、複数の紙片が重ね合わせて形成された複写式の帳票（４２０）であって、利用者が直接記入する記入欄（４２３ｅ）を有する記入紙片（４２３）と、前記記入紙片よりも下層側の紙片であって、前記記入欄の記入内容が複写される記入欄複写部（４２２ｅ−３）を有する記入欄複写片（４２２−３）と、前記記入紙片及び記入欄複写片との間の紙片に設けられ、前記記入欄に対応した大きさの孔である上孔部（４２２ｆ−４）とを備え、前記複数の紙片は、発色剤層を有した、ノーカーボン紙のうち上用紙であり、同一の材質の紙片のみを重ね合わせて形成され、前記上孔部を介して前記記入欄複写部に接する紙片は、前記記入欄複写部に接する領域に、顕色剤層（４２２ｃ−３）を備えること、を特徴とする帳票である。
・第４の発明は、第１から第３のいずれかの発明の帳票において、前記記入欄複写片（２２−３，２２２−３，３２２−３，４２２−３，５２２−３）の下層側の紙片の少なくとも１つ（２２−１，２２−２、２２２−１，２２２−２、３２２−１，３２２−２、４２２−１，４２２−２、５２２−２）は、前記記入欄に対応した大きさの孔である下孔部（２２ｆ−１，２２ｆ−２、２２２ｆ−１，２２２ｆ−２、３２２ｆ−１，３２２ｆ−２、４２２ｆ−１，４２２ｆ−２、５２２ｆ−２）を備えること、を特徴とする帳票である。
・第５の発明は、第４の発明の帳票において、前記下孔部（２２ｆ−１，２２ｆ−２、２２２ｆ−１，２２２ｆ−２、３２２ｆ−１，３２２ｆ−２、４２２ｆ−１，４２２ｆ−２、５２２ｆ−２）よりも下層側の紙片であって、前記記入欄の記入内容が複写される他の記入欄複写部（２１ｅ，２２１ｅ，３２１ｅ，４２１ｅ，５２２ｅ−１）を有する他の記入欄複写片（２１，２２１，３２１，４２１，５２２−１）を備えること、を特徴とする帳票である。
・第６の発明は、第５の発明の帳票において、最下層に配置される紙片（５２１）は、前記記入欄（５２３ｅ）に対応した大きさの孔である最下層孔部（５２１ｆ）を備えること、を特徴とする帳票である。
【０００７】
・第７の発明は、第１の発明の帳票（１０，２０，２２０，５２０）を製造し、送り方向に送られる連続用紙に対して単位紙片毎に加工する加工システムであって、前記連続用紙は、ノーカーボン紙のうち中用紙、セルフ紙の１つが連続したものであり、前記単位紙片毎に、レーザ加工情報を記憶するレーザ加工情報記憶部（５３ｄ）と、前記レーザ加工情報記憶部の前記レーザ加工情報に基づいて、レーザ加工部（５３ｃ）を制御して、前記上孔部をレーザ加工するレーザ加工制御部（５３ｅ）とを備えること、を特徴とする帳票の加工システムである。
・第８の発明は、第２の発明の帳票（３２０）を製造し、送り方向に送られる連続用紙に対して単位紙片毎に加工する加工システムであって、前記連続用紙は、ノーカーボン紙のうち下用紙が連続したものであり、前記単位紙片毎に、レーザ加工情報を記憶するレーザ加工情報記憶部（５３ｄ）と、前記レーザ加工情報記憶部の前記レーザ加工情報に基づいて、レーザ加工部（５３ｃ）を制御して、前記上孔部をレーザ加工するレーザ加工制御部（５３ｅ）と、前記上孔部を介して前記記入欄複写部に接する紙片に、前記発色剤層（３２３ｂ）を印刷する発色剤層印刷部とを備えること、を特徴とする帳票の加工システムである。
・第９の発明は、第３の発明の帳票（４２０）を製造し、送り方向に送られる連続用紙に対して単位紙片毎に加工する加工システムであって、前記連続用紙は、ノーカーボン紙のうち上用紙が連続したものであり、前記単位紙片毎に、レーザ加工情報を記憶するレーザ加工情報記憶部（５３ｄ）と、前記レーザ加工情報記憶部の前記レーザ加工情報に基づいて、レーザ加工部（５３ｃ）を制御して、前記上孔部をレーザ加工するレーザ加工制御部（５３ｅ）と、前記上孔部を介して前記記入欄複写部に接する紙片に、前記顕色剤層（４２２ｃ−３）を印刷する顕色剤層印刷部とを備えること、を特徴とする帳票の加工システムである。
・第１０の発明は、第７から第９のいずれかの発明の帳票の加工システムにおいて、前記記入欄複写片（２２−３，２２２−３，３２２−３，４２２−３，５２２−３）の下層側の紙片の少なくとも１つ（２２−１，２２−２、２２２−１，２２２−２、３２２−１，３２２−２、４２２−１，４２２−２、５２２−１，５２２−２）は、前記記入欄に対応した大きさの孔である下孔部（２２ｆ−１，２２ｆ−２、２２２ｆ−１，２２２ｆ−２、３２２ｆ−１，３２２ｆ−２、４２２ｆ−１，４２２ｆ−２、５２２ｆ−２）を備え、前記レーザ加工制御部は、前記レーザ加工情報記憶部の前記レーザ加工情報に基づいて、前記レーザ加工部（５３ｃ）を制御して、前記下孔部をレーザ加工すること、を特徴とする帳票の加工システムである。
・第１１の発明は、第７から第１０のいずれかの発明の帳票の加工システムにおいて、前記連続用紙に対して、接着層を形成する接着加工部（５４ｂ，５４ｃ）と、前記単位紙片毎に、接着情報を記憶する接着情報記憶部（５４ｄ）と、前記接着情報記憶部の前記接着情報に基づいて、前記接着加工部を制御して、前記単位紙片毎に接着層を形成する接着加工制御部（５４ｅ）とを備えること、を特徴とする帳票の加工システムである。
・第１２の発明は、第７から第１１のいずれかの発明の帳票の加工システムにおいて、前記連続用紙を各紙片に切断する切断加工部（５５ｂ）と、前記切断加工部が切断した前記各紙片を順次積層する積層部（５６）とを備えること、を特徴とする帳票の加工システムである。
・第１３の発明は、第７から第１２のいずれかの発明の帳票の加工システムにおいて、前記連続用紙に対して、情報を印刷する印刷部（５１ｃ）と、前記単位紙片毎に、印刷情報を記憶する印刷情報記憶部（５１ｄ）と、前記印刷情報記憶部の前記印刷情報に基づいて、前記印刷部を制御して、前記単位紙片毎に印刷する印刷制御部（５１ｅ）とを備えること、を特徴とする帳票の加工システムである。
・第１４の発明は、第１３の発明の帳票の加工システムにおいて、前記印刷部（５１ｃ）は、前記各加工部よりも送り方向上流側に配置されており、前記印刷情報記憶部（５１ｄ）は、前記各加工部の加工位置に関するマーク（Ｍ）の印刷情報を記憶し、前記印刷制御部（５１ｅ）は、前記印刷情報記憶部の印刷情報に基づいて、前記マークを印刷すること、を特徴とする帳票の加工システムである。
【発明の効果】
【０００８】
本発明によれば、下層側の紙片に鮮明に複写できる帳票、帳票の加工システムを提供できる。
【図面の簡単な説明】
【０００９】
【図１】第１実施形態の帳票１０を示す図である。
【図２】第１実施形態のその他の形態の帳票２０を示す断面図（図１（Ｂ）に対応する図）である。
【図３】第１実施形態の加工システム５０の構成を説明する図である。
【図４】第１実施形態の各印刷情報のマークＭの有無を示すテーブルである。
【図５】第１実施形態の加工用紙Ｗを説明する図である。
【図６】第２実施形態の帳票２２０の断面図（図２に対応する図）である。
【図７】第３実施形態の帳票３２０の断面図（図２に対応する図）である。
【図８】第４実施形態の帳票４２０の断面図（図２に対応する図）である。
【図９】第５実施形態の帳票５２０を示す図（図２に対応する図）である。
【発明を実施するための形態】
【００１０】
（第１実施形態）
以下、図面等を参照して、本発明の第１実施形態について説明する。
（帳票１０の構成）
図１は、第１実施形態の帳票１０を示す図である。
図１（Ａ）は、帳票１０の上面を鉛直方向Ｚ（上層側）から見た図である。
図１（Ｂ）は、図１（Ａ）のｂ−ｂ部断面図である。
図１（Ｃ）は、図１（Ａ）のｃ−ｃ部断面図である。
なお、実施形態では、便宜上、図１に示す状態を基準に、左右方向Ｘ、縦方向Ｙ、鉛直方向Ｚ（厚さ方向）として説明するが、各方向は、その配置に応じて、適宜定めることができる。例えば、鉛直方向Ｚは、帳票１０の表裏を図１の状態とは反転して配置した場合には、図１の下側Ｚ１が上側となり、図１の上側Ｚ２が下側となる。また、図中、鉛直方向Ｚ等の構成は、構成を明確にするために、誇張して図示する。
【００１１】
図１に示すように、帳票１０は、配送伝票、各種口座申し込み伝票等に利用される冊子状の複写帳票である。図１は、生命保険の申し込み用紙の例である。
帳票１０は、下紙片１１（記入欄複写片）、中紙片１２、上紙片１３（記入紙片）の３層が、下側Ｚ１から順に積層されて構成されている。つまり、上層側から２枚目以降の下層側には、中紙片１２、下紙片１１が積層されている。
下紙片１１、中紙片１２、上紙片１３は、全て同一の材質である。
下紙片１１、中紙片１２、上紙片１３は、通常は、ノーカーボン紙を利用した複写帳票の中用紙（ミドル紙）として利用されるものである。つまり、帳票１０は、同一の材質である中用紙のみが重ね合わされ、積層されて形成されている。各層間の左縁部には、縦方向Ｙに延在する帯状の強接着層１５，１６が設けられている。これにより、帳票１０は、冊子状に形成される。
各紙片１１，１２，１３は、紙基材１１ａ，１２ａ，１３ａの下面全面に発色剤層１１ｂ，１２ｂ，１３ｂが積層され、上面全面に顕色剤層１１ｃ，１２ｃ，１３ｃが積層されている。
【００１２】
また、各紙片１１，１２，１３には、それぞれ、情報複写欄１１ｄ，１２ｄ、情報記入欄１３ｄの枠線、暗証番号複写欄１１ｅ（記入欄複写部）、暗証番号記入欄１３ｅの枠線や、文字、図形等と、マークＭ（Ｍ５３，Ｍ５４ｂ，Ｍ５４ｃ，Ｍ５５）とが印刷されている。
これら印刷内容は、帳票の使用態様に応じて、紙片１１，１２，１３毎に異なる。
マークＭは、後述するように、加工時に利用され、紙片毎に異なっている。
【００１３】
下紙片１１は、情報複写欄１１ｄ、暗証番号複写欄１１ｅを備える。
中紙片１２は、情報複写欄１２ｄ、孔部１２ｆ（上孔部）、剥離接着層１２ｇを備える。
剥離接着層１２ｇは、剥離可能な接着剤により形成される。剥離接着層１２ｇは、強接着層１６以外の周縁部に、コの字状の配置されている。
使用者（保険の申し込み希望者等）は、中紙片１２の印刷内容を確認したりする場合等には、この剥離接着層１２ｇから、上紙片１３及び中紙片１２を剥離して、これらを見開くようになっている。
上紙片１３は、情報記入欄１３ｄ、暗証番号記入欄１３ｅを備える。
情報記入欄１３ｄは、使用者が、住所、氏名等の申し込み情報を記入する欄である。
暗証番号記入欄１３ｅは、使用者が、口座を利用する際に使用する所望の暗証番号を、直接記入する欄である。
帳票１０を上層側から見たときに、暗証番号複写欄１１ｅ、孔部１２ｆ、暗証番号記入欄１３ｅは、対応した大きさであり、つまり、同じ大きさであり、同じ位置に配置されている。なお製造時に誤差や、使用時（後述する）の筆圧のかかりやすさを考慮して、孔部１２ｆは、暗証番号記入欄１３ｅよりも若干大きくしてもよい。
【００１４】
上記構成により、暗証番号記入欄１３ｅは、最上層に配置され、孔部１２ｆは、上紙片１３の暗証番号記入欄１３ｅ及び下紙片１１の暗証番号複写欄１１ｅの間に配置される。
これにより、暗証番号記入欄１３ｅ及び暗証番号複写欄１１ｅ間には、上紙片１３以外の構成が配置されることなく、暗証番号記入欄１３ｅの直下に暗証番号複写欄１１ｅが配置される。
【００１５】
（帳票１０の使用方法）
帳票の使用方法について説明する。
使用者は、上紙片１３の情報記入欄１３ｄに、住所、氏名等の申し込み情報を記入する。その筆圧は、下層側の中紙片１２、下紙片１１に伝わる。これにより、申し込み情報が、下紙片１１、中紙片１２の情報複写欄１１ｄ，１２ｄに複写される。
使用者は、帳票２０を見開くことなく、筆記具５で、暗証番号を、上紙片１３の暗証番号記入欄１３ｅに直接記入する。暗証番号記入欄１３ｅの直下には、暗証番号複写欄１１ｅが配置されているので、上紙片１３からの筆圧は、中紙片１２を介することなく、下紙片１１の暗証番号複写欄１１ｅに直接伝わる。これにより、暗証番号複写欄１１ｅには、暗証番号を鮮明に複写できる。
【００１６】
これに対して、従来の帳票では、暗証番号記入欄及び暗証番号複写欄の間に他の紙片が介在していたため、筆圧が暗証番号複写欄に十分に伝わらず、暗証番号が不鮮明になることがあった。また、この介在する紙片には、暗証番号が写されないように、減感インク等を塗布する必要があり、高コストであった。
【００１７】
このように、帳票１０は、暗証番号を鮮明に複写でき、かつ、暗証番号を複写させないための減感インク等が不要であり低コストである。
【００１８】
（帳票のその他の形態）
帳票の形態は、用途、使用方法等によって、適宜設定できる。
図２は、第１実施形態のその他の形態の帳票２０を示す断面図（図１（Ｂ）に対応する図）である。
なお、帳票２０の説明及び図面において、前述した帳票１０と同様の機能を果たす部分には、同一の符号又は末尾に同一の符号を適宜付して、重複する説明を適宜省略する。
図２に示すように、帳票２０は、下紙片２１、４枚の中紙片２２−１〜２２−４、上紙片２３の６枚構成にした。
中紙片は、中紙片２２−３のみに暗証番号複写欄２２ｅ−３を設け、中紙片２２−１，２２−２，２２−４には、孔部２２ｆ−１，２２ｆ−２，２２ｆ−４を設けた。
【００１９】
使用者が上紙片２３の暗証番号記入欄２３ｅに暗証番号を記入すると、上記帳票２０と同様に、筆圧が中紙片２２−３の暗証番号複写欄２２ｅ−３に直接伝わり、暗証番号が鮮明に複写される。
中紙片２２−２，２２−１は、孔部２２ｆ−２，２２ｆ−１を備えるので、中紙片２２−３の暗証番号複写欄２２ｅ−３からの筆圧は、中紙片２２−２，２２−１を介することなく、下紙片２１（他の記入欄複写片）の暗証番号複写欄２１ｅ（他の記入欄複写部）に伝わる。
これにより、帳票２０は、下紙片２１の暗証番号複写欄２１ｅにも、従来と比較すると、鮮明に暗証番号を複写できる。
【００２０】
（加工システム５０）
帳票１０，２０は、以下説明する加工システム５０を利用することにより、低コストであり、かつ、品質を向上して製造できる。
図３は、第１実施形態の加工システム５０の構成を説明する図である。
図４は、第１実施形態の各印刷情報のマークＭの有無を示すテーブルである。
加工システム５０は、例えば、帳票１０，２０を製造する場合には、帳票の縦方向Ｙを送り方向Ａにし、かつ、帳票１０，２０の左右方向Ｘを奥行方向Ｂにして加工する。また、帳票１０，２０の下層側から順次加工する（図５参照）。
実施形態では、切断前の各紙片の状態を、単位紙片という。このため、加工用紙Ｗ（ワーク）は、単位紙片が切断予定線を介して送り方向Ａに連続したものである（図５参照）。加工用紙Ｗは、ノーカーボン式の複写帳票の中用紙の連続用紙である。
【００２１】
図３に示すように、加工システム５０は、加工用紙Ｗの送り方向Ａの上流側Ａ１から順に、送出ローラ５０ａ、プリンタ５１、レーザ加工装置５３、接着剤塗布装置５４、切断加工装置５５、積層部５６が、インラインで接続されている。
【００２２】
各装置（プリンタ５１、レーザ加工装置５３、接着剤塗布装置５４、切断加工装置５５）は、送り駆動用のローラ（図示せず）が複数設けられており、ローラの回転量を制御して、加工用紙Ｗの送り量を制御できるようになっている。
各装置の各記憶部５１ｄ，５３ｄ，５４ｄ（後述する）は、各装置の動作に必要なプログラム、情報等を記憶するためのハードディスク、半導体メモリ素子等の記憶装置である。また、各装置の各制御部５１ｅ，５３ｅ，５４ｅ，５５ｅ（後述する）は、それぞれ各装置を統括的に制御する制御部であり、ＣＰＵ等から構成される。
【００２３】
送出ローラ５０ａは、加工前の加工用紙Ｗが巻かれたローラであり、送り方向Ａの上流側Ａ１に設けられている。
【００２４】
プリンタ５１は、加工用紙Ｗに印刷する汎用の印刷装置であり、例えば、レーザビームプリンタ、インキジェットプリンタ等である。
プリンタ５１は、ヘッド５１ｃ（印刷部）、記憶部５１ｄ（印刷情報記憶部）、制御部５１ｅ（印刷制御部）を備える。
ヘッド５１ｃは、例えば、インキを射出する装置であり、加工用紙Ｗに対して、文字、図形、マークＭ等の情報を、実際に印刷する装置である。
【００２５】
記憶部５１ｄは、単体紙片毎に印刷情報を記憶する。
印刷情報は、情報複写欄１１ｄ，１２ｄ、情報記入欄１３ｄの枠線、暗証番号複写欄１１ｅ，暗証番号記入欄１３ｅの枠線や、文字、図形、マークＭ等の情報である。
図４に示すように、印刷情報には、各単位紙片の各加工に対応したマークＭが含まれる。
例えば、帳票１０の中紙片１２の単位紙片１１２の印刷情報には、加工情報に対応したマークＭ５３，Ｍ５４ｂ，Ｍ５４ｃ，Ｍ５５の情報が含まれる。
マークＭは、各加工時において、加工位置の基準、加工のきっかけ（トリガー）にするためのタイミングマークである。マークＭの作用は、後述する。
制御部５１ｅは、記憶部５１ｄの印刷情報に基づいて、ヘッド５１ｃを制御して、加工用紙Ｗに単位紙片毎に印刷する。
【００２６】
レーザ加工装置５３は、加工用紙Ｗに対してレーザ加工を行う装置である。レーザ加工装置５３は、孔開加工の他に、例えば、ミシン目加工、マーキング処理、ハーフカット加工、マージナル加工等を行うことができる。
レーザ加工装置５３は、マーク検出部５３ａ、レーザ照射部５３ｃ（レーザ加工部）、記憶部５３ｄ（レーザ加工情報記憶部）、制御部５３ｅ（レーザ加工制御部）を備える。
マーク検出部５３ａは、加工用紙Ｗに印刷されたマークＭ５３を検出する光学センサである。マーク検出部５３ａは、奥行方向Ｂにおいて、マークＭ５３の印刷位置に対応した位置に配置されている。
レーザ照射部５３ｃは、加工用紙Ｗに対して、レーザ光を実際に照射して、レーザ加工するヘッドである。
レーザ照射部５３ｃは、いわゆるＸＹスキャナ等を備え、レーザ光を送り方向Ａ及び送り方向Ａに直交した方向である奥行方向Ｂに、加工用紙Ｗ上をスキャンできる。
【００２７】
記憶部５３ｄは、単体紙片毎にレーザ加工情報を記憶する。レーザ加工情報は、レーザ加工の位置、形状等の情報である。
記憶部５３ｄは、例えば、帳票１０の中紙片１２であれば、孔部１２ｆに関する情報を記憶し、また、帳票２０の中紙片２２−４であれば、孔部２２ｆ−４に関する情報を記憶する。
制御部５３ｅは、記憶部５３ｄのレーザ加工情報に基づいて、レーザ照射部５３ｃを制御して、単位紙片毎にレーザ加工する。
【００２８】
接着剤塗布装置５４は、加工用紙Ｗに対して、接着剤を塗布する装置である。
接着剤塗布装置５４は、マーク検出部５４ａ、強接着剤塗布部５４ｂ（接着加工部）、剥離接着剤塗布部５４ｃ、記憶部５４ｄ（接着情報記憶部）、制御部５４ｅ（接着加工制御部）を備える。
マーク検出部５４ａは、加工用紙Ｗに印刷されたマークＭ５４ｂ，Ｍ５４ｃを検出する光学センサである。マーク検出部５４ａは、２つ設けられており、それぞれ、強接着剤塗布用のマークＭ５４ｂの検出、剥離接着剤塗布用のマークＭ５４ｃの検出に用いる。マーク検出部５４ａは、奥行方向Ｂにおいて、マークＭ５４ｂ，Ｍ５４ｃの印刷位置に対応した位置に配置されている。
強接着剤塗布部５４ｂは、強接着剤を塗布して、強接着層を形成する装置である。強接着剤塗布部５４ｂは、接着剤を塗布するためのバルブを開閉したり、リングを駆動させて、接着剤を、送り方向Ａに平行な帯状（線分状）に塗布する。
剥離接着剤塗布部５４ｃは、弱接着剤を塗布する糊版胴及び糊版胴を駆動する駆動装置（図示せず）等を備える。剥離接着剤塗布部５４ｃは、糊版胴を鉛直方向Ｚに駆動させて、単位紙片毎に接着剤を塗布する。
【００２９】
記憶部５４ｄは、単体紙片毎に強接着剤、剥離接着剤の塗布情報（接着情報）を記憶する。塗布情報は、各単位紙片に、強接着剤、剥離接着剤を塗布するか否かの情報である。
制御部５４ｅは、記憶部５４ｄの接着情報に基づいて、強接着剤塗布部５４ｂ（接着加工部）、剥離接着剤塗布部５４ｃを制御して、単位紙片毎に接着層を形成する。
【００３０】
切断加工装置５５は、加工用紙Ｗを切断加工する装置である。
切断加工装置５５は、マーク検出部５５ａ、カッタ５５ｂ（切断加工部）、制御部５５ｅを備える。
マーク検出部５５ａは、加工用紙Ｗに印刷されたマークＭ５５を検出する光学センサである。マーク検出部５５ａは、奥行方向Ｂにおいて、マークＭ５５の印刷位置に対応した位置に配置されている。
カッタ５５ｂは、加工用紙Ｗを実際に切断する切断刃である。
制御部５５ｅは、カッタ５５ｂを制御して、加工用紙Ｗを、切断予定線（図５に示す切断予定線１１０ａ〜１１９ａ参照）で切断して、各紙片へと個別化する。
積層部５６は、切断加工装置５５が切断した紙片を順次積層して収容する。
【００３１】
なお、加工システム５０は、必要に応じて、構成を適宜変更可能である。加工システム５０は、例えば、マージナル孔で紙送りする場合には工程の最後にマージナルを切断するスリッタ加工装置を追加してもよいし、剥離接着剤を塗布しない場合には剥離接着剤塗布部５４ｃ等の構成を削除してもよい。
【００３２】
次に、加工システム５０の動作について説明する。
図５は、第１実施形態の加工用紙Ｗを説明する図である。
図５は、加工用紙Ｗのうち帳票１０，２０を切断前の領域を示す。
この例では、加工用紙Ｗの１１１〜１１３枚目の単位紙片１１１〜１１３は、帳票１０の紙片１１〜１３に対応しており、１１４〜１１９枚目の単位紙片１１４〜１１９は、帳票２０の紙片２１，２２−１〜２２−４，２３に対応している。
なお、加工の前提として、各装置の各記憶部５１ｄ，５３ｄ，５４ｄには、加工順に対応した加工情報が記憶されている。
例えば、プリンタ５１の記憶部５１ｄの１１１〜１１３枚目の加工情報は、帳票１０の単位紙片１１１〜１１３の印刷情報である。同様に、記憶部５１ｄの１１４〜１１９枚目の加工情報は、帳票２０の単位紙片１１４〜１１９の印刷情報である。
【００３３】
（印刷工程）
プリンタ５１の制御部５１ｅは、送られてくる加工用紙Ｗに対して、記憶部５１ｄの印刷情報に基づいて、ヘッド５１ｃを制御して、加工用紙Ｗに単位紙片毎に順次印刷していく。なお、図５は、マークＭ以外の図示を省略した。
制御部５１ｅは、単位紙片の印刷情報を、記憶部５１ｄから順番に読み出す。このため、制御部５１ｅは、例えば、１１１枚目の印刷であれば、単位紙片１１１の印刷情報を読み出して印刷する。
これにより、加工用紙Ｗは、記憶部５１ｄの印刷情報が、単位紙片毎に順番に印刷されていく。
【００３４】
なお、制御部５１ｅは、マークＭを、各加工装置のマーク検出部に対応した位置に印刷する。各単位紙片に印刷されるマークＭは、記憶部５１ｄの印刷情報に対応している。例えば、各単位紙片１１１〜１１９に印刷されるマークＭは、記憶部５１ｄの印刷情報に対応している（図４、図５参照）。
【００３５】
（レーザ加工工程）
レーザ加工装置５３のマーク検出部５３ａは、加工用紙Ｗに印刷されたマークＭ５３を検出する。
制御部５３ｅは、マークＭ５３の検出位置を基準にして、レーザ加工の加工位置を算出し、また、奥行方向Ｂの位置をレーザ照射部５３ｃの駆動量、送り方向Ａの位置をローラの回転量から算出する。
制御部５３ｅは、レーザ照射部５３ｃを制御して、レーザ光を加工用紙Ｗに照射する。
これにより、レーザ加工装置５３は、マークＭ５３が印刷された単位紙片のみにレーザ加工できる。なお、記憶部５３ｄの加工情報を、単位紙片毎に異なるものにすれば、単位紙片毎に異なる位置に加工できる。
【００３６】
制御部５３ｅは、マークＭ５３の検出回数に応じて、単位紙片の加工情報を、記憶部５３ｄから順番に読み出す。例えば、１１２枚目の加工では、１１２枚目に配置された単位紙片１１２の加工情報を読み出して、孔部１２ｆの加工をする。後述する各加工工程も同様である。
このため、加工システム５０は、工程が進むに従って、単位紙片毎にその紙片に対応した加工を順次行うことができる。
【００３７】
（接着剤塗布工程）
接着剤塗布装置５４のマーク検出部５４ａは、加工用紙Ｗに印刷されたマークＭ５４ｂ，Ｍ５４ｃを検出する。
接着剤塗布装置５４の制御部５４ｅは、レーザ加工装置５３の制御部５３ｅと同様に、強接着剤塗布部５４ｂ、剥離接着剤塗布部５４ｃを制御する。つまり、制御部５４ｅは、マークＭ５４ｂ，Ｍ５４ｃの検出位置を基準にして、強接着剤塗布部５４ｂ、剥離接着剤塗布部５４ｃを制御する。
これにより、制御部５４ｅは、マークＭ５４ｂが印刷されている単位紙片には、強接着剤を帯状に塗布でき、一方、マークＭ５４ｃが印刷されている単位紙片には、剥離用接着剤をコの字状に塗布できる。
【００３８】
以上の工程により、単位紙片１１１〜１１３、単位紙片１１４〜１１９は、切断加工工程前には、図５に示す形態に加工される。
【００３９】
（切断加工工程）
切断加工装置５５のマーク検出部５５ａは、加工用紙Ｗに印刷されたマークＭ５５を検出する。
切断加工装置５５の制御部５５ｅは、レーザ加工装置５３の制御部５３ｅと同様に、カッタ５５ｂを制御する。つまり、制御部５５ｅは、ローラの回転量からカッタ５５ｂの駆動位置を算出して、加工用紙Ｗを切断予定線で切断する。
これにより、切断加工装置５５は、加工用紙Ｗを切断して、各紙片を個別化する。
なお、切断加工装置５５にも切断位置の情報を記憶する記憶部を設ければ、切断位置を異なるものにでき、紙片毎に異なる大きさに切断できる。
【００４０】
（積層工程）
積層部５６は、切断された紙片を付き揃えながら、順番に積み重ねる。強接着剤、剥離接着剤が塗布された紙片は、上側に順次紙片が重ねられることにより、重みによって、その直上の紙片に接着する。これにより、冊子状の帳票の形態になる。
以上により、加工システム５０は、冊子の複写帳票を製造できる。
なお、上記加工システム５０は、製造する帳票の形態に応じて適宜変更できる。例えば、ミシン目、孔の両方を備えた紙片を製造する場合には、複数のレーザ加工装置を設ければよい。
【００４１】
以上説明したように、加工システム５０は、以下の効果を奏する。
（１）プリント、レーザ加工、接着剤塗布、切断加工、積層加工を、インラインで行い、連続して複写帳票を製造できる。これにより、製造効率を向上して、低コストな複写帳票を製造できる。
【００４２】
（２）形態の異なる複写帳票を連続して製造できる。
すなわち、紙片の枚数、孔部の加工位置、暗証番号記入欄、暗証番号複写欄の印刷情報を帳票毎に変えることにより、暗証番号記入欄、暗証番号複写欄や、これを有する紙片の枚数を、帳票毎に変えることができる。同様に、印刷内容（宛名等）を帳票毎に変えることができる。
【００４３】
（３）単位紙片毎に接着剤を塗布し、加工用紙Ｗを順次積層するので、１パスで、冊子状の帳票を製造できる。また、各帳票を形態、種類の異なるものに、つまりバリアブルに製造できる。さらに、積層順の間違え等の誤作業も抑制でき、品質を向上できる。
すなわち、実施形態とは異なりノーカーボン式の上用紙、中用紙、下用紙等を別工程で製造する場合には、これらの組み合わせ間違え等の誤作業が発生しやすい。さらに、この場合に、形態、種類の異なる帳票を製造すると、組み合わせがさらに複雑になり、誤作業がさらに発生しやすい。
実施形態では、単位紙片を加工順に積層すればよいので、このような誤作業を抑制できる。
【００４４】
（第２実施形態）
次に、本発明の第２実施形態について説明する。
なお、第２実施形態以降の説明及び図面において、前述した第１実施形態と同様の機能を果たす部分には、同一の符号又は末尾（下２桁）に同一の符号を適宜付して、重複する説明を適宜省略する。
図６は、第２実施形態の帳票２２０の断面図（図２に対応する図）である。
帳票２２０は、第１実施形態の帳票２０から、各紙片の構成を変更した。
帳票２２０の下紙片２２１、中紙片２２２（２２２−１〜２２２−４）、上紙片２２３は、通常は、それぞれ、ノーカーボン紙を利用した複写帳票のセルフ紙として利用されるものである。これにより、帳票２２０は、同一の材質の紙片のみを重ね合わせて形成される。
つまり、下紙片２２１、中紙片２２２（２２２−１〜２２２−４）、上紙片２２３は、紙基材２２１ａ，２２２ａ（２２２ａ−１〜２２２ａ−４），２２３ａの上面全面にセルフ層２２１ｇ，２２２ｇ（２２２ｇ−１〜２２２ｇ−４），２２３ｇが積層されている。
セルフ層２２１ｇ，２２２ｇ（２２２ｇ−１〜２２２ｇ−４），２２３ｇは、発色剤及び顕色剤が塗布されて形成されている。
【００４５】
下紙片２２１（他の記入欄複写片）は、暗証番号複写欄２２１ｅ（他の記入欄複写部）を備える。
中紙片２２２−１，２２２−２，２２２−４は、孔部２２２ｆ−１，２２２ｆ−２（下孔部）、孔部２２２ｆ−４（上孔部）を備える。
中紙片２２２−３は、暗証番号複写欄２２２ｅ−３を備える。
上紙片２２３は、暗証番号記入欄２２３ｅを備える。
【００４６】
上記構成により、帳票２２０は、上紙片２２３の暗証番号記入欄２２３ｅへの記入時の筆圧は、中紙片２２２−３の暗証番号複写欄２２２ｅ−３に伝わり、暗証番号複写欄２２２ｅ−３は、セルフ層２２１ｇ−３の作用により複写される。さらに、暗証番号複写欄２２２ｅ−３に伝わった筆圧は、中紙片２２２−３を介して、下紙片２２１の暗証番号複写欄２２１ｅに伝わり、暗証番号複写欄２２１ｅは、セルフ層２２１ｇの作用により複写される。
これにより、帳票２２０は、第１実施形態の帳票２０と同様に使用でき、第１実施形態と同様な効果を奏する。
【００４７】
なお、帳票２２０は、第１実施形態と同様な加工システムを利用して、製造できる。
すなわち、帳票２２０を製造する場合には、加工用紙Ｗとして、複写帳票のセルフ紙の連続用紙を使用すればよい。このように、帳票２２０の製造は、第１実施形態と同様な加工システムを利用でき、第１実施形態と同様な効果を奏する。
【００４８】
（第３実施形態）
次に、本発明の第３実施形態について説明する。
図７は、第３実施形態の帳票３２０の断面図（図２に対応する図）である。
帳票３２０は、第１実施形態の帳票２０から、各紙片の構成を変更した。
図７に示すように、帳票３２０の下紙片３２１、中紙片３２２（３２２−１〜３２２−４）、上紙片３２３は、通常は、それぞれ、ノーカーボン紙を利用した複写帳票のボトム紙（下用紙）として利用されるものである。
つまり、下紙片３２１、中紙片３２２（３２２−１〜３２２−４）、上紙片３２３は、紙基材３２１ａ，３２２ａ（３２２ａ−１〜３２２ａ−４），３２３ａの上面全面に顕色剤層３２１ｃ，３２２ｃ（３２２ｃ−１〜３２２ｃ−４），３２３ｃが積層されている。
【００４９】
下紙片３２１（他の記入欄複写片）は、暗証番号複写欄３２１ｅ（他の記入欄複写部）を備える。
中紙片３２２−１，３２２−２，３２２−４は、孔部３２２ｆ−１，３２２ｆ−２（下孔部）、孔部３２２ｆ−４（上孔部）を備える。
中紙片３２２−３は、発色剤層３２２ｂ−３、暗証番号複写欄３２２ｅ−３を備える。
発色剤層３２２ｂ−３は、中紙片３２２−３の下面に部分的に積層されている。
【００５０】
上紙片３２３は、発色剤層３２３ｂ、暗証番号記入欄３２３ｅを備える。
発色剤層３２３ｂは、上記発色剤層３２２ｂ−３と同様な層である。つまり、発色剤層３２３ｂは、上紙片３２３の下面に部分的に積層されている。
【００５１】
鉛直方向Ｚから見た場合において、上層側から、暗証番号記入欄３２３ｅ、発色剤層３２３ｂ、孔部３２２ｆ−４、暗証番号複写欄３２２ｅ−３、発色剤層３２２ｂ−３、孔部３２２ｆ−２，３２２ｆ−１、暗証番号複写欄３２１ｅは、互いに対応した領域に配置され、また、互いに対応した大きさである。
【００５２】
上記構成により、上紙片３２３は、孔部３２２ｆ−４を介して暗証番号複写欄３２２ｅ−３に接する。また、上紙片３２３は、暗証番号複写欄３２２ｅ−３に直接接する領域に、発色剤層３２３ｂを設けることができる。
同様に、中紙片３２２−３は、孔部３２２ｆ−１，３２２ｆ−２を介して暗証番号複写欄３２１ｅに接する。また、中紙片３２２−３は、暗証番号複写欄３２１ｅに直接接する領域に、発色剤層３２２ｂ−３を設けることができる。
【００５３】
これにより、上紙片３２３の暗証番号記入欄３２３ｅへの記入時の筆圧は、中紙片３２２−３の暗証番号複写欄３２２ｅ−３に直接伝わり、暗証番号複写欄３２２ｅ−３は、発色剤層３２３ｂ及び顕色剤層３２２ｃ−３の作用により複写される。さらに、暗証番号複写欄３２２ｅ−３に伝わった筆圧は、中紙片３２２−３を介して、下紙片３２１の暗証番号複写欄３２１ｅに伝わり、暗証番号複写欄３２１ｅは、発色剤層３２２ｂ−３及び顕色剤層３２１ｃの作用により複写される。
上記構成により、帳票３２０は、第１実施形態と同様に使用でき、第１実施形態と同様な効果を奏する。
【００５４】
帳票３２０は、第１実施形態と同様な加工システムを利用して、製造できる。
すなわち、帳票３２０を製造する場合には、加工用紙Ｗとして、複写帳票の下用紙の連続用紙を使用すればよい。また、発色剤層３２３ｂ，３２２ｂ−３は、顕色剤を含有するインクを印刷する印刷装置（発色剤印刷部）に、レーザ加工装置５３、接着剤塗布装置５４（図１参照）と同様な構成を適用して、連続用紙に部分的に印刷すればよい。
このように、帳票３２０の製造は、第１実施形態と同様な加工システムを利用でき、第１実施形態と同様な効果を奏する。
【００５５】
（第４実施形態）
次に、本発明の第４実施形態について説明する。
図８は、第４実施形態の帳票４２０の断面図（図２に対応する図）である。
帳票４２０は、第１実施形態の帳票２０から、各紙片の構成を変更した。
帳票４２０の下紙片４２１、中紙片４２２（４２２−１〜４２２−４）、上紙片４２３は、通常は、それぞれ、ノーカーボン紙を利用した複写帳票のトップ紙（上用紙）として利用されるものである。
つまり、下紙片４２１、中紙片４２２（４２２−１〜４２２−４）、上紙片４２３は、紙基材４２１ａ，４２２ａ（４２２ａ−１〜４２２ａ−４），４２３ａの下面全面に発色剤層４２１ｂ，４２２ｂ（４２２ｂ−１〜４２２ｂ−４），４２３ｂが積層されている。
【００５６】
下紙片４２１（他の記入欄複写片）は、顕色剤層４２１ｃ、暗証番号複写欄４２１ｅ（他の記入欄複写部）を備える。
顕色剤層４２１ｃは、顕色剤層４２１ｃの上面に部分的に積層されている。
暗証番号複写欄４２１ｅは、顕色剤層４２１ｃ上に設けられている。
【００５７】
中紙片４２２−１，４２２−２，４２２−４は、孔部４２２ｆ−１，４２２ｆ−２（下孔部）、孔部４２２ｆ−４（上孔部）を備える。
中紙片４２２−３は、顕色剤層４２２ｃ−３、暗証番号複写欄４２２ｅ−３を備える。
顕色剤層４２２ｃ−３は、中紙片４２２−３の上面に部分的に積層されている。
暗証番号複写欄４２２ｅ−３は、顕色剤層４２２ｃ−３上に設けられている。
上紙片４２３は、暗証番号記入欄４２３ｅを備える。
【００５８】
鉛直方向Ｚから見た場合において、上層側から、暗証番号記入欄４２３ｅ、孔部４２２ｆ−４、暗証番号複写欄４２２ｅ−３、顕色剤層４２２ｃ−３、孔部４２２ｆ−２，４２２ｆ−１、暗証番号複写欄４２１ｅ、顕色剤層４２１ｃは、互いに対応した領域に配置され、また、互いに対応した大きさである。
上記構成により、上紙片４２３は、孔部４２２ｆ−４を介して暗証番号複写欄４２２ｅ−３に接する。また、中紙片４２２−３は、上紙片４２３に直接接する領域に、顕色剤層４２２ｃ−３を設けることができる。
同様に、中紙片４２２−３は、孔部４２２ｆ−１，４２２ｆ−２を介して暗証番号複写欄４２１ｅに接する。また、中紙片４２２−３は、暗証番号複写欄４２１ｅに直接接する領域に、顕色剤層４２１ｃを設けることができる。
【００５９】
これにより、上紙片４２３の暗証番号記入欄４２３ｅへの記入時の筆圧は、中紙片４２２−３の暗証番号複写欄４２２ｅ−３に直接伝わり、暗証番号複写欄４２２ｅ−３は、発色剤層４２３ｂ及び顕色剤層４２２ｃ−３の作用により複写される。さらに、暗証番号複写欄４２２ｅ−３に伝わった筆圧は、中紙片４２２−３を介して、下紙片４２１の暗証番号複写欄４２１ｅに伝わり、暗証番号複写欄４２１ｅは、発色剤層４２２ｂ−３及び顕色剤層４２１ｃの作用により複写される。
上記構成により、帳票４２０は、第１実施形態と同様に使用でき、第１実施形態と同様な効果を奏する。
【００６０】
帳票４２０は、第１実施形態と同様な加工システムを利用して、製造できる。
すなわち、帳票４２０を製造する場合には、加工用紙Ｗとして、複写帳票の上用紙の連続用紙を使用すればよい。また、顕色剤層４２２ｃ−３，４２１ｃは、顕色剤を含有するインクを印刷する印刷装置（顕色剤印刷部）に、レーザ加工装置５３、接着剤塗布装置５４（図１参照）と同様な構成を適用して、連続用紙に部分的に印刷すればよい。
このように、帳票４２０の製造は、第１実施形態と同様な加工システムを利用でき、第１実施形態と同様な効果を奏する。
【００６１】
（第５実施形態）
次に、本発明の第５実施形態について説明する。
図９は、第５実施形態の帳票５２０を示す図（図２に対応する図）である。
帳票５２０は、第１実施形態の帳票２０から、下紙片５２１、中紙片５２２−１の構成を変更した。
下紙片５２１は、暗証番号記入欄５２３ｅに対応した位置に、暗証番号記入欄５２３ｅに対応した大きさの孔部５２１ｆ（最下層孔部）を備える。
中紙片５２２−２（他の記入欄複写片）には、暗証番号複写欄５２２ｅ−１（他の記入欄複写部）を設けた。
【００６２】
上記構成により、帳票５２０は、最下層に配置される下紙片５２１についても、減感インク等を用いることなく、暗証番号が複写されないように構成できる。
また、本実施形態の構成は、第２から第４実施形態に対しても、適用することができる。
【００６３】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００６４】
（変形形態）
実施形態において、マークの配列は、帳票の左右方向（加工システムの奥行方向）である例を示したが、これに限定されない。例えば、マークの配列は、帳票の縦方向（加工システムにおける加工用紙の送り方向）でもよい。この場合には、マークを種類毎に色分等して、マーク検出部が対応する色のマークを検出すればよい。この場合には、マークの配置の自由度を向上できる。
【符号の説明】
【００６５】
１０，２０，２２０，３２０，４２０，５２０  帳票
１１，２１，２２１，３２１，４２１，５２１  下紙片
１１ｂ，１２ｂ，１３ｂ，２１ｂ，２２ｂ−１〜２２ｂ−４，２３ｂ，４２１ｂ，４２２ｂ−１〜４２２ｂ−４，４２３ｂ，５２１ｂ，５２２ｂ−１〜５２２ｂ−４，５２３ｂ  発色剤層
１１ｃ，１２ｃ，１３ｃ，２１ｃ，２２ｃ−１〜２２ｃ−４，２３ｃ，３２１ｃ，３２２ｃ−１〜３２２ｃ−４，３２３ｃ，５２１ｃ，５２２ｃ−１〜５２２ｃ−４，５２３ｃ  顕色剤層
１１ｅ，２１ｅ，２２ｅ−３，２２１ｅ，２２２ｅ−３，３２１ｅ，３２２ｅ−３，４２１ｅ，４２２ｅ−３，５２２ｅ−１，５２２ｅ−３  暗証番号複写欄
１２，２２−１〜２２−４，２２２−１〜２２２−４，３２２−１〜３２２−４，４２２−１〜４２２−４，５２２−１〜５２２−４  中紙片
１２ｆ，２２ｆ−１，２２ｆ−２，２２ｆ−４，２２２ｆ−１，２２２ｆ−２，２２２ｆ−４，３２２ｆ−１，３２２ｆ−２，３２２ｆ−４，４２２ｆ−１，４２２ｆ−２，４２２ｆ−４，５２１ｆ，５２２ｆ−２，５２２ｆ−４  孔部
１３，２３，２２３，３２３，４２３，５２３  上紙片
１３ｅ，２３ｅ，２２３ｅ，３２３ｅ，４２３ｅ，５２３ｅ  暗証番号記入欄
５０  加工システム
５１  プリンタ
５１ｃ  ヘッド
５１ｄ，５３ｄ，５４ｄ  記憶部
５１ｅ，５３ｅ，５４ｅ，５５ｅ  制御部
５３  レーザ加工装置
５３ａ，５４ａ，５５ａ  マーク検出部
５３ｃ  レーザ照射部
５４  接着剤塗布装置
５５  切断加工装置
５５ｂ  カッタ
５６  積層部
２２１ｇ，２２２ｇ−１〜２２２ｇ−４，２２３ｇ  セルフ層
３２３ｂ，３２２ｂ−３  発色剤層
４２１ｃ，４２２ｃ−３  顕色剤層
【図１】
2015047694.tif 000003
【図２】
2015047694.tif 000004
【図３】
2015047694.tif 000005
【図４】
2015047694.tif 000006
【図５】
2015047694.tif 000007
【図６】
2015047694.tif 000008
【図７】
2015047694.tif 000009
【図８】
2015047694.tif 000010
【図９】
2015047694.tif 000011